【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
撮像装置であって、
撮影対象の輝度分布に関する情報を取得する取得手段と、
前記取得手段により取得された前記撮影対象の輝度分布に関する情報に基づき、主被写体に重みをおいた前記撮影対象の加重平均輝度を取得する加重平均手段と、
前記撮影対象について定めた所定の大きさの領域のうち、前記加重平均輝度よりも低い平均輝度を有する領域の平均輝度と前記加重平均輝度とに基づいて、露出制御値を決定する決定手段と、
を有することを特徴とする撮像装置。
【請求項２】
前記決定手段は、前記加重平均輝度よりも低い平均輝度を有する領域の平均輝度と前記加重平均輝度との差分に基づいて、前記露出制御値を決定することを特徴とする請求項１に記載の撮像装置。
【請求項３】
前記決定手段は、前記加重平均輝度よりも低い平均輝度を有する領域の平均輝度と前記加重平均輝度との差分に応じて前記加重平均輝度を変更し、変更された前記加重平均輝度に基づいて前記露出制御値を決定することを特徴とする請求項２に記載の撮像装置。
【請求項４】
前記決定手段は、前記加重平均輝度よりも低い平均輝度を有する領域の平均輝度と前記加重平均輝度との差分に、予め定められた係数を乗じた値を、前記加重平均輝度に加えた輝度に基づいて、前記露出制御値を決定することを特徴とする請求項３に記載の撮像装置。
【請求項５】
前記決定手段は、前記撮影対象について定めた前記所定の大きさの領域のうち、最も低い平均輝度を有する領域の平均輝度と前記加重平均輝度とに基づいて、前記露出制御値を決定することを特徴とする請求項１乃至４のいずれか１項に記載の撮像装置。
【請求項６】
前記撮影対象について定めた前記所定の大きさの領域の平均輝度は、前記撮影対象の輝度分布を１次元に射影した輝度値であることを特徴とする請求項１乃至５のいずれか１項に記載の撮像装置。
【請求項７】
前記撮影対象が逆光シーンであるか否かを判断する判断手段を有し、
前記決定手段は、前記判断手段により前記撮影対象が逆光シーンであると判断された場合に、前記加重平均輝度よりも低い平均輝度を有する領域の平均輝度と前記加重平均輝度とに基づいて、前記露出制御値を決定する
ことを特徴とする請求項１乃至６のいずれか１項に記載の撮像装置。
【請求項８】
前記判断手段は、前記撮影対象の輝度分布、あるいは前記撮像装置に設定されているシーン設定に応じて、前記撮影対象が逆光シーンであるか否かを判断することを特徴とする請求項７に記載の撮像装置。
【請求項９】
前記決定手段はさらに、前記撮影対象について定めた前記所定の大きさの領域のうち、予め定められた輝度よりも高い平均輝度を有する領域の平均輝度に基づいて、前記露出制御値を決定することを特徴とする請求項１乃至８のいずれか１項に記載の撮像装置。
【請求項１０】
前記決定手段は、前記予め定められた輝度よりも高い平均輝度を有する領域の平均輝度と該予め定められた輝度との差分に基づいて、前記露出制御値を決定することを特徴とする請求項９に記載の撮像装置。
【請求項１１】
前記決定手段は、前記予め定められた輝度よりも高い平均輝度を有する領域の平均輝度と該予め定められた輝度との差分に応じて前記加重平均輝度を変更し、変更された前記加重平均輝度に基づいて前記露出制御値を決定することを特徴とする請求項１０に記載の撮像装置。
【請求項１２】
撮影対象について定めた領域についての該撮影対象の輝度分布に関する情報を取得する取得手段と、
前記取得手段により取得された前記撮影対象の輝度分布に関する情報に基づき、注目領域の重み付けを他の領域の重み付けよりも大きくして重み付け演算を行い、第１の平均輝度値を算出する第１の算出手段と、
前記注目領域よりも広く、かつ前記重み付け演算に用いられる領域よりも狭い領域について平均輝度値を算出する第２の算出手段と、
前記第１の平均輝度値と、前記第２の算出手段により算出された前記平均輝度値のうちの前記第１の平均輝度値よりも小さい第２の平均輝度値との差分に基づいて、露出制御値を決定する決定手段と、
を有することを特徴とする撮像装置。
【請求項１３】
前記決定手段は、前記第１の平均輝度値と前記第２の平均輝度値との差分に基づいて算出された、前記第１の平均輝度値よりも小さい輝度値に基づいて、前記露出制御値を決定することを特徴とする請求項１２に記載の撮像装置。
【請求項１４】
前記撮影対象が逆光状態であるか否かを判断する判断手段を更に有し、
前記決定手段は、前記判断手段により前記撮影対象が逆光状態であると判断された場合に、前記第１の平均輝度値と前記第２の平均輝度値との差分に基づいて、前記露出制御値を決定することを特徴とする請求項１２または１３に記載の撮像装置。
【請求項１５】
前記決定手段は、前記判断手段により前記撮影対象が逆光状態でないと判断された場合、前記第２の平均輝度値を用いずに、前記第１の平均輝度値に基づいて前記露出制御値を決定することを特徴とする請求項１４に記載の撮像装置。
【請求項１６】
複数の画像を合成する画像合成手段を更に有し、
前記決定手段は、前記第１の平均輝度値と前記第２の平均輝度値とに基づいて決定した前記露出制御値を基準にして、前記画像合成手段による合成に用いる前記複数の画像の撮影に係る複数の露出制御値を決定することを特徴とする請求項１２乃至１５のいずれか１項に記載の撮像装置。
【請求項１７】
取得手段が、撮影対象の輝度分布に関する情報を取得する取得工程と、
加重平均手段が、前記取得工程において取得された前記撮影対象の輝度分布に関する情報に基づき、主被写体に重みをおいた前記撮影対象の加重平均輝度を取得する加重平均工程と、
決定手段が、前記撮影対象について定めた所定の大きさの領域のうち、前記加重平均輝度よりも低い平均輝度を有する領域の平均輝度と前記加重平均輝度とに基づいて、露出制御値を決定する決定工程と、
を有することを特徴とする露出制御方法。
【請求項１８】
取得手段が、撮影対象について定めた領域についての該撮影対象の輝度分布に関する情報を取得する取得工程と、
第１の算出手段が、前記取得工程で取得された前記撮影対象の輝度分布に関する情報に基づき、注目領域の重み付けを他の領域の重み付けよりも大きくして重み付け演算を行い、第１の平均輝度値を算出する第１の算出工程と、
第２の算出手段が、前記注目領域よりも広く、かつ前記重み付け演算に用いられる領域よりも狭い領域について平均輝度値を算出する第２の算出工程と、
決定手段が、前記第１の平均輝度値と、前記第２の算出工程で算出された前記平均輝度値のうちの前記第１の平均輝度値よりも小さい第２の平均輝度値との差分に基づいて、露出制御値を決定する決定工程と、
を有することを特徴とする露出制御方法。
【請求項１９】
コンピュータに、請求項１乃至１６のいずれか１項に記載の撮像装置の各手段として機能させるためのプログラム。
【手続補正２】
【補正対象書類名】明細書
【補正対象項目名】０００９
【補正方法】変更
【補正の内容】
【０００９】
前述の目的を達成するために、本発明の撮像装置は、以下の構成を備える。
撮像装置であって、撮影対象の輝度分布に関する情報を取得する取得手段と、取得手段により取得された撮影対象の輝度分布に関する情報に基づき、主被写体に重みをおいた撮影対象の加重平均輝度を取得する加重平均手段と、撮影対象について定めた所定の大きさの領域のうち、加重平均輝度よりも低い平均輝度を有する領域の平均輝度と加重平均輝度とに基づいて、露出制御値を決定する決定手段と、を有することを特徴とする。